(57)【要約】【課題】いかなる種類、サイズの用紙においても、確実に用紙の静電気除去を行ない、良好な用紙の整列性を実現可能な排紙装置を備えた画像形成装置を提供する。【解決手段】排紙ローラ対４の下流側近傍にある第一の除電器１６ａに加え、第一の除電器１６ａおよび排紙ローラ対４の機構部の構造物から離れ、用紙１を用紙進行方向下流側に導入する用紙ガイド１７に用紙進行方向と直交方向に配された第二の除電器１６ｂを備えた。【選択図】　　　図１
2004010240.tif 000002
【特許請求の範囲】
【請求項１】
画像形成装置の後段に接続されて、該画像形成装置から送り出されてくる印刷済用紙を下流に送り出す排紙ローラ対と、前記用紙を用紙進行方向の下流側へ導入する用紙ガイドと、前記用紙を積み重ねて収容するための用紙積載テーブルと、前記用紙積載テーブルを昇降させるためのテーブル駆動機構と、前記テーブル駆動機構を制御する制御装置と、用紙の最上面位置を検知する上面検出手段と、用紙進行方向の下流側に配された前記用紙積載テーブル上に排出された用紙の用紙進行方向に往復摺動する用紙整列部材と、用紙進行方向の上流側に配された用紙整列部材と、用紙進行方向に対して直交方向に往復運動する一対の用紙整列部材と、前記各用紙整列部材の駆動機構を有する排紙装置を備えた画像形成装置において、前記排紙ローラ対の下流側近傍に用紙進行方向に対して直交方向に配された第一の除電器と、前記第一の除電器の下流に配された前記用紙ガイドの入口部に用紙進行方向に対して直交方向に配した第二の除電器を具備することを特徴とする画像形成装置。
【請求項２】
前記第二の除電器の先端部は前記第一の除電器と１５ｍｍ以上離れた位置に配し、前記第一の除電器との間に構造物がないことを特徴とする請求項１記載の画像形成装置。
【請求項３】
前記第二の除電器の先端部と前記排紙ローラ対から送り出されてくる用紙と接触するとともにの接触角度が６０°以下であることを特徴とする請求項１記載の画像形成装置。
【発明の詳細な説明】
【０００１】
【発明の属する技術分野】
本発明は、複写機、レーザビームプリンタ等の画像形成装置に関するものである。
【０００２】
【従来の技術】
周知の如く、画像形成装置の排紙装置においては、用紙を排出し更に製本などの後処理を考慮し、用紙を用紙進行方向および用紙進行方向に対して直交方向（用紙幅方向）に不揃いなく整列させておく必要がある。
【０００３】
そのため従来は図２の如く、画像形成装置３の排紙装置２の排紙ローラ対４より排出される用紙１に帯電している静電気を用紙１と除電器１６ａの先端部を接触させることにより除去し、更に用紙積載テーブル６上の用紙１の後端部を垂直方向に押し付ける回転部材９にて用紙１を用紙積載テーブル６上に整列させるという方式が採られている。
【０００４】
【発明が解決しようとする課題】
しかしながら、前記のような手段においては、除電器は排紙ローラ対直後に配されていることで、排紙ローラ対の機構部を構成する金属等の導電体に近接するため、用紙に対する除電効果が低下することがあった。除電器による用紙の静電気除去が不完全な場合には、用紙積載テーブル上に回転部材によって押し付けられた用紙後端が、用紙に残留した静電気により再び用紙搬送路上に浮き上がってしまい、後続から排出されてくる用紙の先端と衝突し用紙ジャムおよび用紙の整列性の悪化を招いていた。
【０００５】
また、用紙後端が浮き上がらない場合においても、用紙積載テーブル上の用紙が静電気により移動することがあるため用紙の整列性を確保することが困難であった。
【０００６】
本発明の目的は、従来の上記問題を回避し排紙装置内に排出される用紙の良好な整列性を実現する画像形成装置を提供することにある。
【０００７】
【課題を解決するための手段】
上記目的を達成するために本発明では、排紙ローラ対の下流近傍に配された第一の除電器に加えて、前記第一の除電器および排紙ローラ対の構造物から離れた空間に第二の除電器を配した。
【０００８】
【発明の実施の形態】
以下に実施例を図１を用いて説明する。画像形成装置３に設けられた排紙ローラ対（図示せず）から送り込まれてくる用紙１を次段に送り出す排紙装置２に設けられた排紙ローラ対４と、昇降移動可能に支持され排紙ローラ対４から送り出されてくる用紙を積み重ね収容するスタックテーブル６と、スタックテーブル６を昇降させるためのテーブル駆動機構（図示せず）と、前記テーブル駆動機構を制御する制御装置と、用紙１を用紙進行方向下流側に導入する用紙ガイド１７と、用紙進行方向下流側に配されスタックテーブル６上に排出された用紙１の進行方向に往復運動し用紙１の先端を揃える用紙整列部材８と、用紙１先端部の上面を押さえる用紙上面押さえローラ５と、用紙進行方向上流側に配されスタックテーブル６上に排出された用紙１の後端を揃える用紙後端ストッパ１５と、スタックテーブル６上方に配されスタックテーブル６上に排出された用紙１後端部の上面を垂直方向に押し付ける回転部材９と、用紙進行方向と平行に配され用紙１の進行方向に対して直交方向（用紙幅方向）往復運動し用紙１を揃える用紙整列部材７と、用紙の最上面位置を検知する積載用紙上面検出手段１０と、排紙ローラ対４の下流側近傍で用紙進行方向に対して直交方向に配され用紙１の静電気を除去する第一の除電器１６ａと、除電器１６ａの下流で用紙進行方向に対して直交方向に設けられ用紙１の静電気を更に除去する第二の除電器１６ｂとから構成される。尚、スタックテーブル６は昇降可能に設けられたテーブルアーム１１の上に着脱自在に設けられており、スタックテーブル６上に所定量の用紙が積載した際には、テーブルアーム１１からスタックテーブル６ごと取り外してオペレータが運搬できるように配慮がなされている。
【０００９】
ここで、静電気で帯電した用紙１が排紙ローラ対４により排紙装置内に搬送されると、まず第一の除電器１６ａにて静電気を除去する。更に第一の除電器１６ａおよび排紙ローラ対４の構造物からの電気的な影響が少ない位置に配した第二の除電器１６ｂにて第一の除電器１６ａにて除去できなかった残留静電気を除去することにより、スタックテーブル６上に積載された用紙１の後端が用紙搬送路上へ浮き上がることを防止出来るとともに、残留した静電気によるスタックテーブル６上に積載された用紙１の最上部での不揃いを防止することが出来る。
【００１０】
更に排紙ローラ対４から送り出されてくる用紙１と第二の除電器１６ｂを１〜３ｍｍ程度接触させることにより、確実な静電気の除去と用紙１を垂直下流方向に速やかに搬送できる。その結果積載された用紙内に空気層が出来にくくなり、用紙の良好な整列性を達成できる。また、第二の除電器１６ｂは、用紙ガイド１７に用紙進行方向と直交方向に設けられており、更に用紙１との接触角度を６０°以下に配されているため、トナー像を有する面を上に向けて排紙する上向きカールが大きい排紙モード等のいかなる排紙モードにおいても、確実な静電気の除去を達成することができ、用紙の良好な整列性を保つことが可能となる。
【００１１】
【発明の効果】
以上説明したように本発明によれば、いかなる用紙種類、サイズにおいても確実に用紙の静電気除去を行ない良好な用紙の整列性を実現可能な排紙装置を備えた画像形成装置を提供することができる。
【図面の簡単な説明】
【図１】本発明による一実施例を示す電子写真印刷装置の排紙装置の構成図である。
【図２】従来の技術による一実施例を示す電子写真印刷装置の排紙装置の構成図である。
【符号の説明】
１は用紙、２は排紙装置、３は画像形成装置、４は排紙ローラ対、５は用紙上面押さえローラ、６はスタックテーブル、７は用紙整列部材、８は用紙整列部材、９は回転部材、１０は積載用紙上面検出手段、１１はテーブルアーム、１２はモータ、１３は動力伝達ベルト、１４は駆動シャフト、１５は用紙後端ストッパ、１６ａは第１の除電ブラシ、１６ｂは第２の除電ブラシ、１７は用紙ガイドである。
【図１】
2004010240.tif 000003
【図２】
2004010240.tif 000004